(57)【要約】【課題】外部の衝撃に対する剛性の向上した表示装置用収納モジュール、これを有する表示装置及び表示装置における収納モジュールの製造方法を提供する。【解決手段】本発明の表示装置用収納モジュールは、収納フレーム及び収納容器を備える。収納フレームは、底面部及び側壁部を含む。収納容器は、底面部の背面に配置された底板及び各側壁部をカバーする複数の側壁を含む。各側壁は、第１側板及び第２側板を含む。第１側板は、底板のエッジから延長されて各側壁部の外側面と対向して側壁部に結合される。第２側板は、第１側板の上端から湾曲して第１側板の外側面と対向する。したがって、曲げ応力及びねじれ応力のような外力に対して表示装置の剛性が向上する。【選択図】図３
2008152263.tif 000002
【特許請求の範囲】
【請求項１】
底面部及び該底面部の周辺部から延長されて収納空間を形成する複数の側壁部を含む収納フレームと、
前記底面部の背面に配置された底板、該底板のエッジから延長されて各前記側壁部の外側面と対向して前記側壁部に結合された第１側板、及び該第１側板の上端から湾曲して該第１側板の外側面と対向する第２側板を含む複数の側壁を有する収納容器と、を備えることを特徴とする表示装置用収納モジュール。
【請求項２】
前記側壁部には締結突起が形成され、前記収納容器の少なくとも一側壁の前記第１側板には前記締結突起が挿入される第１締結ホールが形成されることを特徴とする請求項１に記載の表示装置用収納モジュール。
【請求項３】
前記少なくとも一側壁の前記第２側板は、前記第１締結ホールをカバーして前記第１締結ホールを有する前記第１側板の下端まで延長されることを特徴とする請求項２に記載の表示装置用収納モジュール。
【請求項４】
前記少なくとも一側壁の前記第２側板は、前記第１締結ホールを有する前記第１側板に接触することを特徴とする請求項３に記載の表示装置用収納モジュール。
【請求項５】
前記第１締結ホールを有する前記第１側板には、前記第１側板の内側面から突出して前記締結突起の上端にかかる係止突起が更に形成されることを特徴とする請求項２に記載の表示装置用収納モジュール。
【請求項６】
前記少なくとも一側壁の前記第２側板には、前記締結突起が挿入される第２締結ホールが形成されることを特徴とする請求項２に記載の表示装置用収納モジュール。
【請求項７】
前記第２締結ホールは、前記第１締結ホールより小さいことを特徴とする請求項６に記載の表示装置用収納モジュール。
【請求項８】
少なくとも一側壁部には締結溝が形成され、前記第１側板には該締結溝にかかる締結突起が形成されることを特徴とする請求項１に記載の表示装置用収納モジュール。
【請求項９】
前記収納フレームの各側壁部はガイド溝を含み、各第２側板の外面は、各側壁部の最外側面に平行する面を形成することを特徴とする請求項１に記載の表示装置用収納モジュール。
【請求項１０】
各第２側板は、各第１側板と面接触することを特徴とする請求項１に記載の表示装置用収納モジュール。
【請求項１１】
中央に開口部の形成された底面部及び該底面部の周辺部から延長されて収納空間を形成する複数の側壁部を含む収納フレームと、
前記底面部の背面に配置された底板、該底板のエッジから延長されて各前記側壁部の外側面と対向して前記側壁部に結合された複数の第１側板、及び該第１側板の上端から湾曲して該第１側面の外側面をカバーする第２側板を有する複数の側壁を含む収納容器と、
前記底面部に配置された光学ユニットと、
前記側壁部のうち、少なくとも一内側面に配置されて前記光学ユニットの側面と対向する点光源と、
前記側壁部に形成された段差部によって支持されて前記光学ユニットの上部に配置された表示パネルと、を備えることを特徴とする表示装置。
【請求項１２】
前記側壁部の外側面には締結突起が形成され、前記収納容器の少なくとも一側壁の前記第１側板には前記締結突起が挿入される締結ホールが形成されることを特徴とする請求項１１に記載の表示装置。
【請求項１３】
前記少なくとも一側壁の前記第２側板は、前記第１側板に接触して前記締結ホールをカバーし、前記締結ホールを有する前記第１側板の下端まで延長されることを特徴とする請求項１２に記載の表示装置。
【請求項１４】
前記締結ホールを有する前記第１側板には、前記第１側板の内側面から突出して前記締結突起の上端にかかる係止突起が更に形成されることを特徴とする請求項１３に記載の表示装置。
【請求項１５】
前記側壁部には締結溝が形成され、前記第１側板には該締結溝にかかる締結突起が形成されることを特徴とする請求項１１に記載の表示装置。
【請求項１６】
各第２側板は、各第１側板と面接触することを特徴とする請求項１１に記載の表示装置。
【請求項１７】
底面部及び該底面部の周辺部から延長される側壁部を含む収納フレーム内を収納空間として定義する段階と、
収納容器の底板を前記底面部の背面上に配置する段階と、
前記収納容器の側壁の第１側板を前記底板のエッジから延長する段階と、
前記第１側板を前記側壁部の外面と向い合うように前記側壁部に結合する段階と、
第２側板を前記第１側板の上端部で湾曲して前記第１側板の外面と向い合うようにする段階と、を有することを特徴とする表示装置における収納モジュールの製造方法。
【請求項１８】
前記収納フレームの前記側壁部に締結突起を形成する段階と、
前記収納容器の前記第１側板を通過させる第１締結ホールを形成する段階と、
前記締結突起を前記第１締結ホール内に挿入する段階と、を含むことを特徴とする請求項１７に記載の表示装置における収納モジュールの製造方法。
【請求項１９】
係止突起を前記第１側板の内面から延長して前記締結突起の上部にかかるようにする段階を含むことを特徴とする請求項１８に記載の表示装置における収納モジュールの製造方法。
【請求項２０】
前記第２側板を前記第１側板の上端部で湾曲する段階は、前記第２側板を前記第１側板に面接触させることを特徴とする請求項１７に記載の表示装置における収納モジュールの製造方法。
【発明の詳細な説明】
【技術分野】
【０００１】
本発明は、表示装置用収納モジュール、これを有する表示装置及び表示装置における収納モジュールの製造方法に係り、より詳細には、曲げ応力などの外力に対する剛性が向上した表示装置用収納モジュール、これを有する表示装置及び表示装置における収納モジュールの製造方法に関する。
【背景技術】
【０００２】
一般的に、液晶表示装置は、光量が不足なところでも画像を表示するために表示パネルに光を供給するバックライトアセンブリを含む。携帯電話及びＰＤＡのような中小型液晶表示装置、特にモバイル液晶表示装置は、バックライトアセンブリの光源であって消費電力量が少なく、体積、及び重さが軽い長所を有する発光ダイオード（Ｌｉｇｈｔ  Ｅｍｉｔｔｉｎｇ  Ｄｉｏｄｅ：ＬＥＤ）を含む。
【０００３】
携帯電話などモバイル機器のスリム化傾向に応じて液晶表示パネルの基板の厚さは、例えば、０．５ｍｍ〜０．４ｍｍ〜０．３ｍｍと次第に薄くなっている。したがって、液晶表示パネル及び光学ユニットなどを収納する収納モジュールの強度が液晶表示装置の品質を評価する最も重要な要素となっている。収納モジュールは、光学ユニット及び液晶表示パネルを収納するモールドフレーム、及びモールドフレームを収納して装置の強度を向上させる金属材質のボトムシャーシを含むことができる。
【０００４】
液晶表示パネルの基板の厚さがより薄くなることによって外部のねじれ応力及び曲げ応力に対して更に弱くなっている。表示装置の強度増加のためにボトムシャーシの強度がより重要になりつつあるが、ボトムシャーシもまた装置のスリム化に応じて厚さが減少している。
【０００５】
特許文献１には、モールドフレームの背面にボトムシャーシが「コ」字形状に加工され、どの方向からの外部の衝撃に対してもボトムシャーシがずれる現象を防止した液晶表示装置が開示されている。しかし、特許文献１に開示された技術はボトムシャーシの流動を防止するにとどまるだけであり、曲げ応力及びねじれ応力などの外力に対して装置の協同を向上させるには限界がある。
【０００６】
また、特許文献２にはパネルホルダーに形成された突起を外装ハウジングのホールに挿入させてパネルホルダーを外装ハウジングに確実に固定した結合構造が開示されている。しかし、この技術もまたパネルホルダーをハウジングに堅固に結合する構造に関して、曲げ応力及びねじれ応力のような外力に対する装置の強度を向上させるアイデアは開示していないという問題点がある。
したがって、スリム化する表示装置の外力に対する強度を向上しうるモジュールの構造を開発する必要がある。
【０００７】
【特許文献１】韓国公開特許第２００３−０００３０５号明細書
【特許文献２】特開２００４−３０２２９０号公報
【発明の開示】
【発明が解決しようとする課題】
【０００８】
そこで、本発明は、上記従来の問題点に鑑みてなされたもので、本発明の目的は、側壁の格別な構造によって曲げ応力及びねじれ応力のような外力に対する強度を向上させた収納モジュールを提供することにある。
本発明の他の目的は、この表示装置用収納モジュールを含む表示装置を提供することにある。
本発明の更に他の目的は、表示装置における収納モジュールの製造方法を提供することにある。
【課題を解決するための手段】
【０００９】
上記目的を達成するためになされた本発明の一特徴による表示装置用収納モジュールは、収納フレーム及び収納容器を備える。収納フレームは、底面部、及び該底面部の周辺部から延長されて収納空間を形成する複数の側壁部を含む。収納容器は、底板及び複数の側壁を含む。底板は、前記底面部の背面に配置される。各側壁は、各側壁部に対向するように配置される。各側壁は、第１側板及び第２側板を含む。第１側板は、前記底板のエッジから延長されて各側壁部の外側面と対向して側壁部に結合される。第２側板は、第１側板の上端から湾曲して第１側板の外側面と対向する。
【００１０】
一実施例として、各側壁部には締結突起が形成され、各第１側板には締結突起が挿入される第１締結ホールが形成される。第１側板には係止突起を更に形成することができる。係止突起は、第１側板の内側面から突出して締結突起の上端にかかる。第２側板は、第１締結ホールをカバーして第１側板の下端まで延長することができる。第２側板には締結突起が挿入される第２締結ホールを形成することができる。第２側板は、第１側板に接触することができる。前記第２側板は、前記第１側板に面接触することができる。または各側壁部には締結溝が形成され、第１側板には締結溝にかかる締結突起を形成することができる。前記第２締結ホールは、前記第１締結ホールより小さくてもよい。
【００１１】
上記目的を達成するためになされた本発明の一特徴による表示装置は、収納フレーム、収納容器、光学ユニット、点光源、及び表示パネルを備える。収納フレームは、開口部の形成された底面部及び該底面部の周辺部から延長されて収納空間を形成する複数の側壁部を含む。収納容器は、底板及び各側壁部に配置された複数の側壁を含む。底板は、底面部の背面をカバーし、各側壁は、第１側板及び第２側板を含む。第１側板は、各側壁部の外側面と対向して各側壁部に結合される。第２側板は、第１側板の上端から湾曲して該第１側板の外側面をカバーする。光学ユニットは、底面部に配置される。点光源は、側壁部のうち、少なくとも一側面に配置されて光学ユニットの側面と対向する。表示パネルは、側壁部に形成された段差部によって支持されて光学ユニットの上部に配置される。
【００１２】
一実施例として、各側壁部の外側面には締結突起が形成され、第１側板には締結突起が挿入される締結ホールが形成される。第２側板は、第１側板に接触して締結ホールをカバーし、第１側板の下端まで延長される。
【００１３】
上記目的を達成するためになされた本発明の一特徴による表示装置における収納モジュールの製造方法は、まず底面部及び該底面部の周辺部から延長される側壁部を含む収納フレーム内を収納空間として定義する。その後、収納容器の底板を前記底面部の背面上に配置する。その後、前記収納容器の側壁の第１側板を前記底板のエッジから延長する。続いて、前記第１側板を前記側壁部の外面と向い合うように前記側壁部に結合する。その後、第２側板を前記第１側板の上端部で湾曲して前記第１側板の外面と向い合うようにする。これらの段階を経て表示装置における収納モジュールの強度を増加させることができる。
【００１４】
一実施例として、前記表示装置における収納モジュールの製造方法は、前記収納フレームの前記側壁部に締結突起を形成する段階と、前記収納容器の前記第１側板を通過させる第１締結ホールを形成する段階と、前記締結突起を前記第１締結ホール内に挿入する段階と、を含むことができる。前記表示装置における収納モジュールの製造方法は、係止突起を前記第１側板の内面から延長して前記締結突起の上部にかかるようにする段階を更に含むことができる。前記第２側板を前記第１側板の上端部で湾曲する段階は、前記第２側板を前記第１側板に面接触するようにすることができる。
【発明の効果】
【００１５】
このような表示装置用収納モジュール、これを有する表示装置及び表示装置における収納モジュールの製造方法によれば、収納容器の側壁の格別な構造によってねじれ及び曲げなどの外力に対して強度が向上し、これにより外力に対する表示装置の強度が向上する。
即ち、本発明の表示装置用収納モジュールは、金属材質の収納容器のへミング構造の側壁を有し、側壁の第２側板は第１側板の上端から内側ではない外側に湾曲して第１側板と類似な幅に形成され、収納フレームは締結突起と締結溝との結合によって収納容器に堅固に結合される。よって、表示装置用収納モジュールは剛性が大きく向上し、表示装置は外力に対してより大きい抵抗力を有することができる。
【発明を実施するための最良の形態】
【００１６】
以下、本発明の表示装置用収納モジュール、これを有する表示装置及び表示装置における収納モジュールの製造方法を実施するための最良の形態の具体例を、図面を参照しながら詳細に説明する。
＜表示装置用収納モジュール＞
図１は、本発明の実施例１による表示装置用収納モジュールの斜視図であり、図２は、図１に示した表示装置用収納モジュールの分解斜視図である。
図１及び図２を参照すると、表示装置用収納モジュール１００は、表示装置の光学ユニット及び表示パネルなどを収納するのに用いることができる。特に、表示装置用収納モジュール１００は、携帯電話などの中小型モバイル製品に採択することができる。
【００１７】
表示装置用収納モジュール１００は、収納フレーム１０及び収納容器２０を含む。
収納フレーム１０は、底面部５、及び複数の側壁部（１１、１３、１５、１７）を含む。
底面部５は、略４角形のプレート形状を有する。よって、底面部５は互いに対向する２本の長辺及び互いに対向する２本の短辺を含む。底面部５には開口部９が形成されている。
【００１８】
本実施例で、収納フレーム１０は底面部５の４本の辺から延長されて収納空間を形成する４つの側壁部（１１、１３、１５、１７）を含む。４つの側壁部（１１、１３、１５、１７）を第１側壁部１１、第２側壁部１３、第３側壁部１５、及び第４側壁部１７と定義する。第１側壁部１１及び第２側壁部１３は、短辺にそれぞれ配置されて互いに対向する。第３側壁部１５及び第４側壁部１７は、長辺にそれぞれ配置されて互いに対向し、第１側壁部１１及び第２側壁部１３にそれぞれ連結される。
【００１９】
収納フレーム１０は、プラスチックで製造することができる。第１側壁部１１、第２側壁部１３、第３側壁部１５、及び第４側壁部１７の上端には、後述する表示パネルを支持するための２段の段差部７（図３参照）が形成されている。第１側壁部１１、第２側壁部１３、第３側壁部１５、及び第４側壁部１７の外側面には締結突起（１２、１６）が形成されている。各締結突起（１２、１６）の下側エッジは、下側に移動するほど厚さが減少して一側面に対して傾くように形成されている。
【００２０】
収納容器２０は、金属材質のシャーシであってもよい。収納容器２０は、収納フレーム１０を収納する。収納容器２０は、底板２１、第１側壁３０、第２側壁４０、第３側壁５０、第４側壁６０を含むことができる。
【００２１】
底板２１は、収納フレーム１０の底面部５の背面に配置される。底板２１は、底面部５に形成された開口部９をカバーする。
第１側壁３０、第２側壁４０、第３側壁５０、及び第４側壁６０は、それぞれ底板２１の４つのエッジから延長される。第１側壁３０、第２側壁４０、第３側壁５０、及び第４側壁６０は、第１側壁部１１、第２側壁部１３、第３側壁部１５、及び第４側壁部１７の外側面にそれぞれ対向する。
【００２２】
第１側壁３０、第２側壁４０、第３側壁５０、及び第４側壁６０は、ヘミング（Ｈｅｍｍｉｎｇ）構造で形成されている。へミング構造とは、部材の所定の部位の端部が湾曲して重なった構造を示す。部材が、へミング構造を有する場合は、そうではない場合に比べてねじれ応力及びまげ応力のような外力に対して更に大きい剛性を有する。
【００２３】
図３は、図２に示した表示装置用収納モジュールをＩ−Ｉ’に沿って見た断面図である。
図１、図２、及び図３を参照すると、第１側壁３０、第２側壁４０、第３側壁５０、及び第４側壁６０は、互いに対向する第１側板（３１、５１）及び第２側板（３５、５５）を含む。第１側壁３０、第２側壁４０、第３側壁５０、及び第４側壁６０は、互いに類似な構造を有するので、第１側壁３０の説明で第２側壁４０、第３側壁５０、及び第４側壁６０の説明に代える。
【００２４】
第１側壁３０の第１側板３１は、底板２１の一側エッジから延長されて第１側壁部１１の外側面に対向する。第１側板３１は、略第１側壁部１１の上端部まで延長される。第１側板３１には第１側壁部１１に形成された締結突起１２が挿入される締結ホール３２が形成されている。
第１側板３１のうち、締結ホール３２の上側には締結突起１２の上側エッジに向って突出した係止突起３３が更に形成されている。収納フレーム１０が上側から下側に収納容器２０に収納されると、締結突起１２が締結ホール３２に挿入される。係止突起３３は、第１側壁部１１の外側面に沿ってガイドされて締結突起１２の上側エッジにかかる。
【００２５】
第２側板３５は、第１側板３１の外側面と対向する。第２側板３５は、第１側板３１の上端から湾曲して第１側板３１の外側面に沿って第１側板３１の下端まで延長される。したがって、第１側板３１に形成された締結ホール３２は、第２側板３５によってカバーされる。第２側板３５は、第１側板３１に接触してもよく、全面的に第１側板３１の外側面に面接触されることが望ましい。収納容器２０の第２側壁４０、第３側壁５０、及び第４側壁６０は、第１側壁３０のように第１側板３１及び第２側板３５が重なったヘミング構造を有する。
【００２６】
このようなヘミング構造を有する収納容器２０は、側壁部と対向する単純プレート形状の側壁を有する収納容器に比べて、曲げ応力、及びねじれ応力などの外力に対して約１．５倍以上の強度を有することがわかっている。
したがって、表示装置を落とすなどによって表示装置に大きいねじれ応力または曲げ応力が加えられても表示パネルなどの内部部品の損傷を防止することができる。
【００２７】
一方、第２側板３５が第１側板３１の上端から湾曲して第１側板３１と第１側壁部１１との間に介在する場合には第２側板３５が第１側板３１の締結ホール３２の下側まで延長しにくい。したがって、第２側板３５が第１側板３１の上端から締結ホール３２まで延長されるしかないので、収納容器２０の剛性を増加させるのに限界がある。
【００２８】
しかし、本実施例のように第２側板３５を第１側板３１の外側面に対向するように湾曲させると、第２側板３５を、第１側板３１の下端まで延長することができ、これによって収納容器２０の剛性を更に増加させることができる。
【００２９】
第２側板３５が締結ホール３２をカバーしても第１側壁部１１に形成された締結突起１２が締結ホール３２に挿入されて締結されるのには問題がないので、収納フレーム１０が収納容器２０に堅固に結合されるようにすることが可能である。したがって、外部衝撃によって収納フレーム１０が収納容器２０から離脱することを防止することができる。
【００３０】
図４は、本発明の実施例２による表示装置用収納モジュールの斜視図であり、図５は、図４に示した表示装置用収納モジュールの分解斜視図である。図６は、図５に示した表示装置用収納モジュールをＩＩ−ＩＩ’に沿って見た断面図である。
【００３１】
図４、図５、及び図６に示すように、表示装置用収納モジュール３００は、収納フレーム３１０、及び収納容器３２０を含む。
収納フレーム３１０は、底面部３０５、第１側壁部３１１、第２側壁部３１３、第３側壁部３１５、及び第４側壁部３１７を含む。収納フレーム３１０は、第１側壁部３１１、第２側壁部３１３、第３側壁部３１５、及び第４側壁部３１７の形状を除いては図１、図２、及び図３に示した収納フレーム１０と実質的に同一であってもよい。
【００３２】
本実施例で、第１側壁部３１１、第２側壁部３１３、第３側壁部３１５、及び第４側壁部３１７の外側面にはそれぞれ第１ガイド溝３０１、第２ガイド溝、第３ガイド溝３０３、及び第４ガイド溝が形成されている。各側壁部に各ガイド溝を形成して表示装置用収納モジュール３００の全体サイズ、特に壁の厚さを減少させることができる。
【００３３】
第１側壁部３１１には、第１側壁部３１１の長手方向及び下側に開かれる（ｏｐｅｎ）ように第１ガイド溝３０１が形成されている。第２ガイド溝は、第１ガイド溝３０１と同一の方式で形成されている。第３ガイド溝３０３は、第３側壁部３１５の長さより短い長さで形成され、下側に開かれている。第４ガイド溝は第３ガイド溝３０３と同一の方式で形成されている。
【００３４】
締結突起（３１２、３１６）は、各ガイド溝の基底面に形成されている。
収納容器３２０は、底板３２１、第１側壁３３０、第２側壁３４０、第３側壁３５０、及び第４側壁３６０を含む。収納容器３２０は、第１側壁３３０、第２側壁３４０、第３側壁３５０、及び第４側壁３６０が角で互いに所定間隔だけ離隔するように形成された点を除いては図１、図２、及び図３に示した収納容器２０と実質的に同一であってもよい。
【００３５】
第１側壁３３０、第２側壁３４０、第３側壁３５０、及び第４側壁３６０は、それぞれ第１ガイド溝３０１、第２ガイド溝、第３ガイド溝３０３、及び第４ガイド溝に配置される。表示装置用収納モジュール３００のサイズを減少させるために各側壁の第２側板（３３５）が各側壁部から突出しないことが望ましい。
【００３６】
表示装置用収納モジュール３００のサイズを減少させるために収納フレーム３１０の各側壁部にガイド溝を形成する形状及びこれによる収納容器３２０の各側壁間の角での離隔間隔などは多様に変形することができるのは自明である。
【００３７】
図７は、本発明の実施例３による表示装置用収納モジュールの断面図である。
図７に示すように、表示装置用収納モジュール５００は、収納フレーム及び収納容器を含む。
【００３８】
収納フレームは、底面部５０５、第１側壁部５１１、第２側壁部、第３側壁部、及び第４側壁部を含む。収納フレームは、各側壁部に形成された締結突起５１２が図２に示したものより長く形成されたことを除いては図２に示した収納フレーム１０と実質的に同一であってもよい。
【００３９】
収納容器は、底板５２１、第１側壁５３０、第２側壁、第３側壁、及び第４側壁を含む。収納容器の各側壁の第１側板５３１には締結突起５１２が挿入される第１締結ホール５３２が形成される。収納容器は各側壁の第２側板５３５に第１締結ホール５３２に対応して第２締結ホール５３４が形成されたことを除いては図２に収納された収納容器２０と実質的に同一であってもよい。
【００４０】
各側壁部に形成された締結突起５１２は、第１締結ホール５３２及び第２締結ホール５３４に挿入される。第１側板５３１に形成された係止突起５３３は締結突起５１２の上側エッジにかかる。したがって、図１、図２、及び図３に示した表示装置用収納モジュール１００より本実施例による表示装置用収納モジュール５００の収納フレームと収納容器はより堅固に互いに結合することができる。
【００４１】
第２側板５３５は、第１側板５３１の上端から湾曲して第１側板５３１の下端まで延長される。したがって、第２側板５３５の幅が広いので第２締結ホール５３４は、表示装置用収納モジュール５００の強度を大きく向上させるのに障害にならない。
【００４２】
図８は、本発明の実施例４による表示装置用収納モジュールの断面図である。
図８に示すように、表示装置用収納モジュール６００は、収納フレーム及び収納容器を含む。
【００４３】
収納フレームは、底面部６０５、第１側壁部６１１、第２側壁部、第３側壁部、及び第４側壁部を含む。収納フレームは、各側壁部の締結突起が除去され、締結溝６１２が形成されたことを除いては図２に示した収納フレーム１０と実質的に同一であってもよい。
【００４４】
収納容器は、底板６２１、第１側壁６３０、第２側壁、第３側壁、及び第４側壁を含む。収納容器は、各側壁の第１側板６３１で締結ホールが除去され、締結突起６３３が形成されたことを除いては図２に示した収納容器２０と実質的に同一であってもよい。第１側板６３１の一部が切開され第１側壁部６１１に向かって湾曲する締結突起６３３が形成される。
【００４５】
収納フレームが上側から下側に収納されることによって収納容器の各側壁の第１側板６３１に形成された締結突起６３３は、変形する。締結突起６３３が原状回復され、側壁部の締結溝６１２にかかると、収納フレームは収納容器に堅固に結合する。
【００４６】
図２、図５、図７、及び図８では、収納容器に各側壁で第１側板が底板のエッジに連結され、第２側板が第１側板の上端から湾曲して第１側板の外側面をカバーするヘミング構造を説明した。
【００４７】
しかし、他の実施例として第２側板が底板のエッジに連結され、第１側板が第２側板の上端から湾曲して第２側板の内側面をカバーするタイプのへミング構造で各側壁を形成することもできる。この場合、第１側板には締結ホール及び係止突起をそのまま形成することができる。
【００４８】
＜表示装置＞
図９は、本発明の一実施例による表示装置の断面図である。
図９を参照すると、表示装置７００は、収納フレーム、収納容器、光学ユニット７７０、点光源７８０、及び表示パネル７９０を含む。
【００４９】
収納フレーム及び収納容器は、図１、図２、及び図３に示した収納フレーム１０及び収納容器２０と実質的に同一であってもよい。これと異なる実施例として、収納フレーム及び収納容器を図５、図７、及び図８に示した収納フレーム及び収納容器に代替することができる。
【００５０】
光学ユニット７７０は、収納フレームの底面部７０５に配置される。光学ユニット７７０は、導光板７７１、拡散シート７７３、及び集光シート（７７５、７７７）を含むことができる。導光板７７１は、収納フレームの第１側壁部７１１の内側面から所定間隔に離隔して配置される。拡散シート７７３及び集光シート（７７５、７７７）は、導光板７７１上に順次積層される。光学ユニット７７０は、反射シート７７９をさらに含むことができる。反射シート７７９は、底面部７０５と導光板７７１との間に配置され、底面部７０５に形成された開口部をカバーする。
【００５１】
点光源７８０は、第１側壁部７１１と導光板７７１の側面との間に介在し、反射シート７７９上に配置することができる。表示装置７００は、複数の点光源７８０を含むことができる。点光源７８０は白色光を出射する白色発光ダイオードであってもよい。または、点光源７８０は、赤色光を出射する赤色発光チップ、緑色光を出射する緑色発光チップ、及び青色光を出射する青色発光チップを含むことができる。
【００５２】
表示装置７００は、フレキシブルな電源印刷回路フィルム７８５を更に含むことができる。電源印刷回路フィルム７８５の一部は、導光板７７１の上面エッジに重なることができる。点光源７８０は電源印刷回路フィルム７８５上に実装される。第１側壁部７１１の上端には電源印刷回路フィルム７８５が引出される引出溝（図示せず）を更に含むことができる。
【００５３】
表示パネル７９０は、光学ユニット７７０の上部に配置される。表示パネル７９０は、上述の実施例１で説明したように、第１側壁部７１１、第２側壁部、第３側壁部、及び第４側壁部の上端に形成された段差部によって支持することができる。表示装置７００は、段差部と表示パネル７９０との間に介在された接着部材７９７を更に含むことができる。表示パネル７９０は、下部基板７９１、上部基板７９５、及び液晶層を含むことができる。
【００５４】
下部基板７９１は、複数の画素部を含むことができる。上部基板７９５は、第１側壁部７１１に近接する下部基板７９１のエッジを除いた下部基板７９１上に配置される。上部基板７９５は、画素部と対向するカラーフィルタ部を含むことができる。液晶層は、下部基板７９１と上部基板７９５との間に介在される。
【００５５】
表示パネル７９０は、駆動チップ７９３を更に含むことができる。駆動チップ７９３は、点光源７８０に対応する下部基板７９１の上面に実装される。駆動チップ７９３が実装された下部基板７９１のエッジにはパネル印刷回路フィルム（図示せず）を連結することができる。駆動チップ７９３は、パネル印刷回路フィルムと電気的に接続される。駆動チップ７９３は、外部からパネル印刷回路フィルムに印加されたパネル駆動信号によって表示パネル７９０を駆動させる。点光源７８０が実装された電源印刷回路フィルム７８５は、収納フレームの外部に引出され、パネル印刷回路フィルムと電気的に接続することができる。
【００５６】
携帯電話のようなモバイル用の表示装置７００では、表示パネル７９０の厚さ、即ち、下部基板７９１及び上部基板７９５の厚さは数ｍｍ程度に過ぎない。よって表示パネル７９０は曲げ応力及びねじれ応力のような外部の衝撃に弱い。
【００５７】
収納容器の各側壁の第２側板７３５は、第１側板７３１の上端から湾曲して第１側板７３１の外側面に密着される。第２側板７３５は、第１側板７３１の下端まで延長されている。したがって、収納容器の各側壁は２重壁の構造を有する。これによって収納容器は、曲げ応力及びねじれ応力に対して大きい剛性を有する。また、収納フレームの締結突起７１２は、各側壁の第１側板７３１に形成された締結ホール７３２に堅固に結合される。したがって、曲げ応力及びねじれ応力など外力によって表示パネル７９０及び光学ユニット７７０などが損傷することを効果的に防止することができる。
【００５８】
以上、本発明の実施例によって詳細に説明したが、本発明はこれに限定されず、本発明が属する技術分野において通常の知識を有するものであれば本発明の技術的範囲内で、本発明を修正または変更できる。
【図面の簡単な説明】
【００５９】
【図１】本発明の実施例１による表示装置用収納モジュールの斜視図である。
【図２】図１に示した表示装置用収納モジュールの分解斜視図である。
【図３】図２に示した表示装置用収納モジュールをＩ−Ｉ’に沿って見た断面図である。
【図４】本発明の実施例２による表示装置用収納モジュールの斜視図である。
【図５】図４に示した表示装置用収納モジュールの分解斜視図である。
【図６】図５に示した表示装置用収納モジュールをＩＩ−ＩＩ’に沿って見た断面図である。
【図７】本発明の実施例３による表示装置用収納モジュールの断面図である。
【図８】本発明の実施例４による表示装置用収納モジュールの断面図である。
【図９】本発明の一実施例による表示装置の断面図である。
【符号の説明】
【００６０】
５、３０５、５０５、６０５、７０５    底面部
７    段差部
９    開口部
１０、３１０    収納フレーム
１１、３１１、５１１、６１１、７１１    第１側壁部
１２、１６、３１２、３１６、５１２、６３３、７１２    締結突起
１３，３１３    第２側壁部
１５、３１５    第３側壁部
１７，３１７    第４側壁部
２０、３２０    収納容器
２１、３２１、５２１、６２１    底板
３０、３３０、５３０、６３０    第１側壁
３１、５１、５３１、６３１、７３１    第１側板
３２、７３２    締結ホール
３３、５３３    係止突起
３５、５５、３３５、７３５    第２側板
４０、３４０    第２側壁
５０、３５０    第３側壁
６０、３６０    第４側壁
１００、３００、５００、６００    表示装置用収納モジュール
３０１    第１ガイド溝
３０３    第３ガイド溝
５３２    第１締結ホール
５３４    第２締結ホール
６１２    締結溝
７００    表示装置
７７０    光学ユニット
７７１    導光板
７７３    拡散シート
７７５、７７７    集光シート
７７９    反射シート
７８０    点光源
７８５    電源印刷回路フィルム
７９０    表示パネル
７９１    下部基板
７９３    駆動チップ
７９５    上部基板
７９７    接着部材
【図１】
2008152263.tif 000003
【図２】
2008152263.tif 000004
【図３】
2008152263.tif 000005
【図４】
2008152263.tif 000006
【図５】
2008152263.tif 000007
【図６】
2008152263.tif 000008
【図７】
2008152263.tif 000009
【図８】
2008152263.tif 000010
【図９】
2008152263.tif 000011